(57)【要約】【課題】ＦＰＣやＦＦＣ等の薄型部材に対し、複数のコネクタを容易に引き回すことができる中継コネクタの提供。【解決手段】この中継コネクタＡは、ハウジング２が薄型部材側ハウジング部材２１と、接続コネクタが接続される接続コネクタ側ハウジング部材２２とが互いに接合され、コンタクト３，４，５が薄型部材側ハウジング部材の接合面側より挿入され、水平方向で間隔をおいて配置される薄型部材側接触片部３１，３１…と、接続コネクタ側ハウジング部材の接合面側より挿入され、互いに行列方向に間隔をおいて配置されるコネクタ側接触片部３２，４２，５２と、連結片部３３，４３，５３とを備え、連結片部３３，４３，５３は、薄型部材側ハウジング部材２１と接続コネクタ側ハウジング部材２２との間に収容されるようにした。【選択図】図３
2020107556.tif 000002
【特許請求の範囲】
【請求項１】
薄型部材が挿入される薄型部材挿入口を有するハウジングと、前記薄型部材挿入口に挿入される薄型部材と接触するコンタクトとを備え、前記ハウジングに形成されたコネクタ接続部に接続される接続コネクタが前記コンタクトを介して前記薄型部材と接続されるようにした中継コネクタにおいて、
前記ハウジングは、前記薄型部材挿入口を有する薄型部材側ハウジング部材と、前記接続コネクタが接続される接続コネクタ側ハウジング部材とが互いに接合され、
前記コンタクトは、前記薄型部材側ハウジング部材の接合面側より挿入され、前記薄型部材挿入口に互いに水平方向で間隔をおいて配置される薄型部材側接触片部と、前記接続コネクタ側ハウジング部材の接合面側より挿入され、前記コネクタ接続部に対し互いに行列方向に間隔をおいて配置されるコネクタ側接触片部と、前記薄型部材側接触片部と前記コネクタ側接触片部とを連結する連結片部とを備え、
前記連結片部は、前記薄型部材側ハウジング部材と前記接続コネクタ側ハウジング部材との間に収容されるようにしたことを特徴とする中継コネクタ。
【請求項２】
前記薄型部材側ハウジング部材及び／又は前記接続コネクタ側ハウジング部材の接合端面には、前記連結片部が当接する折れ防止用凸部を備えている請求項１に記載の中継コネクタ。
【請求項３】
前記接続コネクタ側ハウジング部材は、前記ハウジングが固定されるパネル体と係合する取付部材を備えている請求項１又は２に記載の中継コネクタ。
【請求項４】
前接続コネクタは、極数の異なる複数種のものが適宜組み合わされる請求項１〜３の何れか一に記載の中継コネクタ。
【請求項５】
前記コネクタ接続部は、前記接続コネクタが嵌合される嵌合部と、該嵌合部の内側に突出し、前記接続コネクタを案内する上下一対の案内用リブとを備え、該上下の案内用リブは互いに幅が異なる請求項１〜４の何れか一に記載の中継コネクタ。
【発明の詳細な説明】
【技術分野】
【０００１】
本発明は、ＦＰＣやＦＦＣ等の薄型部材とハーネスコネクタ等のインターフェースの異なるコネクタとの接続に使用する中継コネクタに関する。
【背景技術】
【０００２】
従来、ＦＰＣやＦＦＣ等の薄板状の薄型部材とハーネスコネクタ等の接続対象が相違するコネクタとの接続には、薄型部材と各コネクタとを直接的に嵌合できないため、中継コネクタが使用されている（例えば、特許文献１を参照）。
【０００３】
この中継コネクタは、一方の端部に薄板状の薄型部材が挿入される薄型部材挿入口を有するハウジングと、薄型部材挿入口に挿入される薄型部材と接触するコンタクトとを備え、ハウジングに形成されたコネクタ接続部に接続される接続コネクタがコンタクトを介して薄型部材と接続されるようになっている。
【０００４】
各コンタクトは、ハウジングの一方の端から挿入され、一方の端部に形成された薄型部材側接触部が薄型部材挿入口内に配置されて薄型部材と接触し、他方の端部に形成されたコネクタ側接触部がコネクタ接続部に配置され接続コネクタと接続されるようになっている。
【先行技術文献】
【特許文献】
【０００５】
【特許文献１】特開２０１１−００８９７８号公報
【発明の概要】
【発明が解決しようとする課題】
【０００６】
しかしながら、上述の如き従来の技術では、各コンタクトをハウジングの一方から挿入する構造であることから、コンタクトの両端に形成された薄型部材側接触部とコネクタ側接続部とを略同一間隔に配置せざるを得ず、中継コネクタ全体の幅が薄型部材の幅に依存し、極数の数に応じて中継コネクタ全体の幅が増大するという問題があった。
【０００７】
よって、従来の中継コネクタは、ＦＰＣやＦＦＣ等の薄型部材に対応する複数のコネクタを幅広のコネクタに合わせるために嵩張り、引き回しが煩雑となるという問題があった。
【０００８】
そこで、本発明は、このような従来の問題に鑑み、ＦＰＣやＦＦＣ等の薄型部材に対し、複数のコネクタを容易に引き回すことができる中継コネクタの提供を目的としてなされたものである。
【課題を解決するための手段】
【０００９】
上述の如き従来の問題を解決するための請求項1に記載の発明の特徴は、薄型部材が挿入される薄型部材挿入口を有するハウジングと、前記薄型部材挿入口に挿入される薄型部材と接触するコンタクトとを備え、前記ハウジングに形成されたコネクタ接続部に接続される接続コネクタが前記コンタクトを介して前記薄型部材と接続されるようにした中継コネクタにおいて、前記ハウジングは、前記薄型部材挿入口を有する薄型部材側ハウジング部材と、前記接続コネクタが接続される接続コネクタ側ハウジング部材とが互いに接合され、前記コンタクトは、前記薄型部材側ハウジング部材の接合面側より挿入され、前記薄型部材挿入口に互いに水平方向で間隔をおいて配置される薄型部材側接触片部と、前記接続コネクタ側ハウジング部材の接合面側より挿入され、前記コネクタ接続部に対し互いに行列方向に間隔をおいて配置されるコネクタ側接触片部と、前記薄型部材側接触片部と前記コネクタ側接触片部とを連結する連結片部とを備え、前記連結片部は、前記薄型部材側ハウジング部材と前記接続コネクタ側ハウジング部材との間に収容されるようにしたことにある。
【００１０】
請求項２に記載の発明の特徴は、請求項１の構成に加え、前記薄型部材側ハウジング部材及び／又は前記接続コネクタ側ハウジング部材の接合端面には、前記連結片部が当接する折れ防止用凸部を備えていることにある。
【００１１】
請求項３に記載の発明の特徴は、請求項１又は２の構成に加え、前記接続コネクタ側ハウジング部材は、前記薄型部材側ハウジング部材が固定されるパネル体と係合する取付部材を備えていることにある。
【００１２】
請求項４に記載の発明の特徴は、請求項１〜３の何れか一の構成に加え、前接続コネクタは、極数の異なる複数種のものが適宜組み合わされることにある。
【００１３】
請求項５に記載の発明の特徴は、請求項１〜４の何れか一の構成に加え、前記コネクタ接続部は、前記接続コネクタが嵌合される嵌合部と、該嵌合部の内側に突出し、前記接続コネクタを案内する上下一対の案内用リブとを備え、該上下の案内用リブは互いに幅が異なることにある。
【発明の効果】
【００１４】
本発明に係る中継コネクタは、請求項１に記載の構成を具備することによって、ハーネスコネクタ等の接続コネクタが接続される側のコネクタ幅を縮小できるとともに、ＦＰＣやＦＦＣ等の薄型部材に対する接続コネクタの配置、即ち、所謂引き回しを容易に行うことができる。
【００１５】
また、本発明において、請求項２に記載の構成を具備することによって、コンタクトをハウジング部材に挿入する際、コンタクトの破損を防止することができる。
【００１６】
さらに、本発明において、請求項３に記載の構成を具備することによって、接続コネクタを着脱する際の反力をパネルに負担させることができ、好適に接続コネクタの着脱を行うことができる。
【００１７】
さらにまた、本発明において、請求項４に記載の構成を具備することによって、極数の異なる複数のコネクタの組み合わせを適宜選択することができる。
【００１８】
また、本発明において、請求項５に記載の構成を具備することによって、接続コネクタの誤接続を防止することができる。
【図面の簡単な説明】
【００１９】
【図１】本発明に係る中継コネクタの使用態様を示す斜視図である。
【図２】同上の背面側から見た斜視図である。
【図３】同上の縦断面図である。
【図４】図１中のハウジングを示す分解斜視図である。
【図５】同上の薄型部材側ハウジング部材を示す図であって、（ａ）は正面図、（ｂ）は同背面図、（ｃ）は同縦断面図である。
【図６】同上の接続コネクタ側ハウジング部材を示す図であって、（ａ）は正面図、（ｂ）は同背面図、（ｃ）は同平面図、（ｄ）は同縦断面図である。
【図７】同上のコンタクトを示す斜視図である。
【図８】同上のコンタクトの平面図、（ｂ）は同平面図、（ｃ）は同側面図である。
【図９】図１中の接続コネクタの一例を示す正面図、（ｂ）は同側面図、（ｃ）は同背面図である。
【図１０】同上の接続コネクタのバリエーション態様を示す分解斜視図である。
【発明を実施するための形態】
【００２０】
次に、本発明に係る中継コネクタの実施態様を図１〜図１０に示した実施例に基づいて説明する。
【００２１】
中継コネクタＡは、薄型部材１が挿入される薄型部材挿入口２１１を有するハウジング２と、薄型部材挿入口２１１に挿入される薄型部材１と接触する複数のコンタクト３，４，５とを備え、ハウジング２に形成されたコネクタ接続部２２２に接続される接続コネクタ６がコンタクト３，４，５を介して薄型部材１と接続されるようになっている。
【００２２】
この中継コネクタＡは、図１〜図３に示すように、電子機器の筐体を構成するパネル部７の開口部７１に表側から挿入されることによってパネル部７に固定され、パネル部７を介して表側より薄型部材１が接続され、裏側より接続コネクタ６が接続されるようになっている。
【００２３】
薄型部材１は、フレキシブルプリント配線基板（以下、ＦＰＣという）やフレキシブルフラットケーブル（以下、ＦＦＣ）であって、端部に幅方向に間隔をおいて複数の端子部１１，１１…が並列に配置されている。
【００２４】
ハウジング２は、図４に示すように、薄型部材挿入口２１１を有する薄型部材側ハウジング部材２１と、接続コネクタ６が接続される接続コネクタ側ハウジング部材２２とがコンタクト３，４，５を内包した状態で互いに接合され、一体化されている。
【００２５】
薄型部材側ハウジング部材２１は、絶縁性樹脂材によって一体に形成され、直方体状の本体部２１２と、本体部２１２の一方の端面に突出した凸部２１３と、本体部２１２の外周に張り出したフランジ部２１４とを備えている。
【００２６】
本体部２１２には、一方端部（後端部）に開口した凹状の嵌合部２１５が形成され、この嵌合部２１５に接続コネクタ側ハウジング部材２２が嵌合され、薄型部材側ハウジング部材２１と接続コネクタ側ハウジング部材２２とが一体化される。
【００２７】
また、本体部２１２には、嵌合部２１５の奥側の接続コネクタ側ハウジング部材２２との接合端面２１５ａに開口し、薄型部材挿入口２１１と連通する複数のコンタクト挿入溝２１６，２１６…が幅方向に間隔をおいて配置されている。
【００２８】
さらに、嵌合部２１５奥側の接合端面２１５ａには、コンタクト挿入溝２１６，２１６…の上下縁部に突条状の折れ防止用凸部２１７，２１７が一体に突設されている。
【００２９】
薄型部材挿入口２１１は、凸部２１３の前面に開口し、コンタクト挿入溝２１６，２１６…と重複する奥行きを有するスリット穴状に形成され、その底面側に並列配置された各コンタクト挿入溝２１６，２１６…と連通している。
【００３０】
接続コネクタ側ハウジング部材２２は、絶縁性樹脂によって一体に形成され、薄型部材側ハウジング部材２１の嵌合部２１５に嵌入される嵌入部２２１と、嵌入部２２１の後端側に配置されたコネクタ接続部２２２とを備えている。
【００３１】
嵌入部２２１は、嵌合部２１５に嵌入可能な直方体状に形成され、接合方向に貫通する複数のコンタクト挿入孔２２３，２２３…が行列配置、即ち、互いに間隔をおいて縦横方向にそれぞれ複数段に並んで配置されている（尚、本実施例では、縦３段横５段の行列配置となっている）。
【００３２】
また、嵌入部２２１の上下端縁部には、係合部材２２４，２２４が一体に支持され、嵌入部２２１を薄型部材側ハウジング部材２１の嵌合部２１５に嵌め込むことによって係合部材２２４，２２４が嵌合部２１５に形成されたハウジング接合用係合孔２１８と係合し、薄型部材側ハウジング部材２１と接続コネクタ側ハウジング部材２２とが固定されるようになっている。
【００３３】
コネクタ接続部２２２は、周壁に囲まれ、各コンタクト挿入孔２２３，２２３…と連通した凹穴状に形成され、その内側に突出し、接続コネクタ６を案内する上下一対の案内用リブ２２５ａ，２２５ｂを備え、案内用リブ２２５ａ，２２５ｂに案内され接続コネクタ６が嵌合されるようになっている。
【００３４】
上下の案内用リブ２２５ａ，２２５ｂは、それぞれ接続コネクタ６の挿入方向に連続する突条状に形成され、互いに幅が異なっている。
【００３５】
また、コネクタ接続部２２２の両側面には、薄型部材側ハウジング部材２１側に向けて斜め外側に延出した片持ちバネ状の取付部材２２６，２２６が支持されている。
【００３６】
この取付部材２２６，２２６は、中継コネクタＡをパネル部の開口部７１に挿入した際、撓みながら開口部７１を通過した後、弾性復帰してその先端部が開口部７１の裏側開口縁部に係合し、パネル部７をフランジ部２１４と挟持するようになっている。
【００３７】
各コンタクト３，４，５は、導電性金属材を打抜き・折り曲げ加工することにより形成され、薄型部材側ハウジング部材２１の接合面側より挿入され、薄型部材挿入口２１１に互いに水平方向で間隔をおいて配置される薄型部材側接触片部３１と、接続コネクタ側ハウジング部材２２の接合面側より挿入され、コネクタ接続部２２２に対し互いに行列方向に間隔をおいて配置されるコネクタ側接触片部３２，４２，５２と、薄型部材側接触片部３１とコネクタ側接触片部３２，４２，５２とを連結する連結片部３３，４３，５３とを備えている。
【００３８】
このコンタクト３，４，５は、連結片部３３，４３，５３の形状が異なる複数種（本実施例では、３種類）のコンタクト３，４，５を一組のユニットとし、各ユニットは、水平方向に並列配置される薄型部材側接触片部３１，３１，３１に対し、コネクタ側接触片部３２，４２，５２が縦列に配置されるようになっている。
【００３９】
そして、連結片部３３，４３，５３の形状が異なる複数種（本実施例では、３種類）のコンタクト３，４，５からなる複数のユニットを介在させて薄型部材側ハウジング部材２１と接続コネクタ側ハウジング部材２２とを接合することによって、各薄型部材側接触片部３１が薄型部材挿入口２１１に並列に配置されるとともに、各コネクタ側接触片部３２，４２，５２がコネクタ接続部２２２に行列状に配置された状態でハウジング２に組み込まれるようになっている。
【００４０】
薄型部材側接触片部３１は、細長板状の圧入片部３１１と、圧入片部３１１の先端側より折り返し配置に支持された弾性接触部３１２とを備え、薄型部材側ハウジング部材２１のコンタクト挿入溝２１６，２１６…に接合端面側より挿入されることによって、弾性接触部３１２が薄型部材挿入口２１１内に突出し、薄型部材１の接触端子１１，１１と接触するようになっている。
【００４１】
圧入片部３１１は、両側縁に突出した係合凸片３１３，３１３を備え、コンタクト挿入溝２１６，２１６…の薄型部材側ハウジング部材２１の接合端面側より挿入することによって、係合凸片３１３，３１３がコンタクト挿入溝２１６，２１６…の両側縁部と係合し、薄型部材側接触片部３１が固定されるようになっている。
【００４２】
弾性接触部３１２は、基端が圧入片部の先端に支持された片持ちバネ状に形成され、その先端部に円弧状の接点部３１２ａが一体に形成されている。
【００４３】
コネクタ側接触片部３２，４２，５２は、細長ピン状に形成され、接続コネクタ側ハウジング部材２２のコンタクト挿入孔２２３，２２３…に圧入され、先端部がコネクタ接続部２２２に突出するようになっている。尚、図中符号３４は係合凸片であって、この係合凸片３４，３４がコンタクト挿入孔２２３，２２３…の内面に係合し、接続コネクタ側ハウジング部材２２に固定されるようになっている。
【００４４】
コンタクト３の連結片部３３は、薄型部材側接触片部３１の後端より折り曲げられ、所定の角度でコンタクト４側斜め上向きに延出し、コンタクト５の連結片部５３は、薄型部材側接触片部３１の後端より折り曲げられ、所定の角度でコンタクト４側斜め下向きに延出し、コンタクト４の連結片部４３は、薄型部材側接触片部３１とコネクタ側接触片部４２とを直線状に連結するように配置され、各連結片部３３，４３，５３が薄型部材側ハウジング部材２１の接合端面と接続コネクタ側ハウジング部材２２の接合端面との間に収容される。
【００４５】
よって、連結片部３３，４３，５３の形状の異なる各コンタクト３，４，５は、薄型部材側接触片部３１が互いに水平方向に並列させることによって、各コネクタ側接触片部３２，４２，５２が間隔をおいて縦列に配置される。
【００４６】
また、連結片部３３，５３は、薄型部材側ハウジング部材２１と接続コネクタ側ハウジング部材２２とを接合する際、その表面側が折れ防止用凸部２１７，２１７に当接され、コネクタ側接触片部３２，５２が折れ防止用凸部２１７，２１７に支持された状態でコンタクト挿入孔２２３，２２３…に圧入されるようになっている。
【００４７】
接続コネクタ６は、樹脂製の接続コネクタ用ハウジング６１と、ハウジング２に支持された接続端子６２，６２…とを備え、コネクタ接続部２２２に嵌合させることによって、コネクタ接続部２２２内に突出した各コネクタ側接触片部３２，４２，５２が接続端子６２，６２…と嵌合し、接続されるようになっている。
【００４８】
本実施例では、縦に３極の接続端子６２，６２…が保持された接続コネクタ６，６…を複数使用し、各接続コネクタ６，６…が並列に接続されるようになっている。
【００４９】
接続コネクタ用ハウジング６１は、縦向きの薄型直方体状に形成され、接合方向に貫通した端子挿入孔６１１，６１１…が縦方向に並べて配置され、端子挿入孔６１１，６１１…に後端側より導線６３が圧着された接続端子６２，６２……が圧入されるようになっている。
【００５０】
この接続コネクタ用ハウジング６１には、上下面にそれぞれ弾性係合片６４，６４が支持され、コネクタ接続部２２２に嵌合させることによって、弾性係合片６４，６４がハウジング２の上下面に開口したコネクタ接続用係合孔２１９と係合するようになっている。
【００５１】
また、接続コネクタ用ハウジング６１の一方の側面の上下縁部には、コネクタ接続部２２２に形成された上下の案内用リブ２２５ａ，２２５ｂと互いに挿通される接合方向に向けた案内溝６１２ａ，６１２ｂを備えている。
【００５２】
各案内溝６１２ａ，６１２ｂは、それぞれ案内用リブ２２５ａ，２２５ｂの幅に合わせて異なる幅に形成され、誤挿入の場合には、案内溝６１２ａ，６１２ｂと案内用リブ２２５ａ，２２５ｂとの幅が合わないため挿入できないようになっている。
【００５３】
尚、接続コネクタ６の態様は、上述の実施例に限定されず、極数の異なる複数種のものを使用することができ、例えば、図１０（ａ）に示すように、全極（１５極）の接続端子６２，６２……が一の接続コネクタ用ハウジングに保持された接続コネクタ８１であってもよく、図１０（ｂ）に示すように、６極の接続コネクタ８２，８２を二つと、３極の接続コネクタ６とを組み合わせたものであってよく、図１０（ｃ）に示すように、６極の接続コネクタ８２と９極の接続コネクタ８３との組み合わせであってもよい。
【００５４】
このように構成された中継コネクタＡは、ハウジング２が薄型部材側ハウジング部材２１とコネクタ側ハウジング２部材とによって構成されたことにより、各コンタクト３，４，５の薄型部材側接触片部３１を互いに水平方向に並列配置できるとともに、コネクタ側接触片部３２，４２，５２を行列状に配置した状態でハウジング２内に収容することができる。
【００５５】
よって、薄型部材１の幅に依存せずに、接続コネクタ６を自由に配置することができ、容易に引き回すことができる。
【００５６】
尚、上述の実施例では、接続コネクタ６をハーネスコネクタとした例について説明したが、接続コネクタ６の態様は、ハーネスコネクタに限定されず、その他のインターフェースを用いたコネクタであってもよい。
【００５７】
また、上述の実施例では、連結片部３３，４３，５３の形状が異なる３種類のコンタクト３，４，５を組み合わせ、縦３列にコネクタ側接触片部３２，４２，５２が配置されるようにした場合について説明したが、連結片部３３，４３，５３の延出角度を変えることによって、縦方向の極数を増やすこともできる。
【符号の説明】
【００５８】
Ａ  中継コネクタ
１  薄型部材
２  ハウジング
２１  薄型部材側ハウジング部材
２１１  薄型部材挿入口
２１２  本体部
２１３  凸部
２１４  フランジ部
２１５  嵌合部
２１６  コンタクト挿入溝
２１７  折れ防止用凸部
２１８  ハウジング接合用係合孔
２１９  コネクタ接続用係合孔
２２  接続コネクタ側ハウジング部材
２２１  嵌入部
２２２  コネクタ接続部
２２３  コンタクト挿入孔
２２４  係合部材
２２５ａ，２２５ｂ  案内用リブ
２２６  取付部材
３  コンタクト
３１  薄型部材側接触片部
３１１  圧入片部
３１２  弾性接触部
３１２ａ  接点部
３１３  係合凸片
３２  コネクタ側接触片部
３３  連結片部
３４  係合凸片
４  コンタクト
４２  コネクタ側接触片部
４３  連結片部
５  コンタクト
５２  コネクタ側接触片部
５３  連結片部
６  接続コネクタ
６１  接続コネクタ用ハウジング
６２  接続端子
６３  導線（ハーネス）
６４  弾性係合片
７  パネル部
７１  開口部
８１  接続コネクタ
８２  接続コネクタ
８３  接続コネクタ
【図１】
2020107556.tif 000003
【図２】
2020107556.tif 000004
【図３】
2020107556.tif 000005
【図４】
2020107556.tif 000006
【図５】
2020107556.tif 000007
【図６】
2020107556.tif 000008
【図７】
2020107556.tif 000009
【図８】
2020107556.tif 000010
【図９】
2020107556.tif 000011
【図１０】
2020107556.tif 000012